(57)【要約】      （修正有）【課題】愛犬家としての使用者が愛犬の放尿箇所など、汚染箇所を浄化洗浄できるボトルに愛犬の犬模型の蓋体を形成して気持ちよくファッション性をもって持参携行できるようにしたペット散歩用洗浄ボトルを提供する。【解決手段】透視可能な可撓性のボトル１と、ボトルの開口部２の外周に設けた雄型の螺合部に着脱自在に螺合できる蓋体４とより成り、蓋体４は、雌型の螺合壁を有する小孔９を穿った下蓋６と、下蓋に枢支されて小孔を開閉する係止爪１１を有する上蓋８を備え、上蓋の上面に愛犬を象徴する犬模型Ａを固着して成る。【選択図】図４
0003206977.tif 000002
【実用新案登録請求の範囲】
【請求項１】
透視可能な可撓性のボトルと、このボトルの開口部の外周に設けた雄型の螺合部に着脱自在に螺合できる蓋体とより成り、蓋体は、雌型の螺合壁を有する小孔を穿った下蓋と、この下蓋に枢支される小孔を開閉する係止爪を有する上蓋を備え、上蓋の上面に愛犬を象徴とする犬模型を固着して成ることを特徴とするペット散歩用洗浄ボトル。
【請求項２】
小孔は、上向きに突出させて散水性を高めて成ることを特徴とする請求項１記載のペット散歩用洗浄ボトル。
【請求項３】
犬模型は、顔正面を上蓋の係止爪の取付け側に臨ませて成ることを特徴とする請求項１記載のペット散歩用洗浄ボトル。
【考案の詳細な説明】
【技術分野】
【０００１】
本考案は、犬のマーキング等の排泄物の消臭、除菌、洗浄除去に使用できるペット散歩用洗浄ボトルに関する。
【背景技術】
【０００２】
この種のペット散歩用洗浄ボトルは、愛犬家のエチケットとして携行できるものが知られている（例えば、特許文献１及び２参照）。
【先行技術文献】
【特許文献】
【０００３】
【特許文献１】特開２００２−２２３６５７号公報
【特許文献２】実用新案登録第３１８７２００号公報
【考案の概要】
【考案が解決しようとする課題】
【０００４】
これ等の引用文献１及び２に示される洗浄ボトルは、確かに愛犬が散歩中に排尿、排便した際に飼い主が愛犬の糞などの異物を取り除いた後や放尿箇所に散水、消毒操作を行って自然環境を改善するものと認められるが、洗浄ボトル自体には有効であっても、愛犬との関係で一体感がなく、単に携帯用の洗浄ボトルとしか認められないという不都合がある。また、散水時に放散性がなく、汚染箇所への命中性が悪いという問題がある。
【０００５】
本考案は叙上の点に着目して成されたもので、愛犬家が喜んで愛犬と共に散歩できるようにした洗浄ボトルを提供することを目的とする。
【０００６】
さらに、愛犬家が散歩する際、愛犬の種類と同じ種類の模型を表現でき、周囲の人々に一種のファッション感覚を与えることができるようにした洗浄ボトルを提供することを目的とする。
【０００７】
特に、蓋の上面にペットの犬模型が設けているので、蓋を開けるのに犬模様を把持して開口でき、しかも犬模型の正面の顔の部分を持って開蓋できるので、軽快かつ迅速に散水できるという利点がある。
【０００８】
そして、犬の放尿箇所など、汚染箇所に向けて洗浄ボトルの蓋を開く際、犬模型の顔を把持して後方に回動されるが、係止爪を操作しないで、簡単に開蓋できるので、開蓋操作が簡単である。
【課題を解決するための手段】
【０００９】
本考案は、以下の構成を備えることにより、上記課題を解決できるものである。
【００１０】
（１）透視可能な可撓性のボトルと、このボトルの開口部の外周に設けた雄型の螺合部に着脱自在に螺合できる蓋体とより成り、蓋体は、雌型の螺合壁を有する小孔を穿った下蓋と、この下蓋に枢支される小孔を開閉する係止爪を有する上蓋を備え、上蓋の上面に愛犬を象徴とする犬模型を固着して成ることを特徴とするペット散歩用洗浄ボトル。
【００１１】
（２）小孔は、上向きに突出させて散水性を高めて成ることを特徴とする前記（１）記載のペット散歩用洗浄ボトル。
【００１２】
（３）犬模型は、顔正面を上蓋の係止爪の取付け側に臨ませて成ることを特徴とする前記（１）記載のペット散歩用洗浄ボトル。
【考案の効果】
【００１３】
本考案によれば、蓋体の上蓋の上面に犬の形状の犬模型が設けられているので、この模型を把持して簡単迅速に開蓋でき、犬の排尿などに際し、迅速にボトル内の水等を放散でき、しかも小孔が上方に突出した形状であるので、指向性をもって放水でき、汚染した箇所を浄化できると共に、周囲の歩行者に対しても衛生管理の態度を美しく発揮して接することができる。
【図面の簡単な説明】
【００１４】
【図１】本考案の一実施例を示すペット散歩用洗浄ボトルの正面図
【図２】図１の左側面図
【図３】図１の拡大平面図
【図４】図２の蓋体の閉塞状態の拡大断面図
【図５】図４の蓋体を開放させた状態の拡大断面図
【図６】使用状態の一例を示す斜視図
【考案を実施するための形態】
【００１５】
以下本考案を実施するための最良の形態を、実施例により詳しく説明する。
【実施例】
【００１６】
以下に、本考案の実施例を図面と共に説明する。
【００１７】
１は、透視可能な可撓性のあるボトルで、ＰＥＴ合成樹脂で成形される。２は、水または洗浄液の注入，注出可能な開口部で、外周には雄型の螺合部３が一体に成形される。４は、前記雄型の螺合部３と螺合する雌型の螺合部５を穿った下蓋６と、この下蓋６と枢支部７で開閉できる上蓋８を備えた蓋体を示す。そして、下蓋６の中央に上向きに突出させた小孔９を備え、上蓋８の対応箇所には開閉面１０が設けられ、前記枢支部７で上蓋８を開閉可動させるに際し、上蓋８には係止爪１１が設けられ、この係止爪１１の内面８ａが下蓋６の外周対応箇所６ａと係脱できるように構成されている。
【００１８】
Ａは、前記蓋体４の上蓋８に固着された犬の形状を模った各種ペットの犬模型であって、使用者の好みの種類の犬模型Ａが固着される蓋体４を見つけることができる。特に現在飼っている愛犬と同じ種類の犬模型Ａを探すのが好ましい。
【００１９】
なお、犬模型Ａの取付方向は、上蓋８上面であれば、どこでも差し支えないが、できれば犬模型Ａの前後方向を考えて、顔αの方を係止爪１１位置に合わせて、尾βの方を枢支部７に向けて固着するのが好ましい。
【００２０】
このような犬模型Ａの固着位置により、使用者は犬模型Ａの頭αの方を把持し、尾βの方の枢支部７に向けて駆動させることにより、上蓋８を下蓋６の小孔９を簡単に開口させてボトル１内の水を放出散布させることができる。
【００２１】
叙上の構成に基づいて作用を説明する。
【００２２】
愛犬家である使用者は、愛犬を散歩させる際、ボトル１内に必要な水や消毒液を入れ、蓋体４をボトル１の開口部２を被着して愛犬と共に散歩を始める。犬の習性として、電柱とか塀などに放尿を繰り返す。飼い主の使用者は、携行するボトル１を把持し、蓋体４を開けて、水や消毒液を下蓋６の小孔９より必要量だけ吐出させて汚した個所を洗浄する。
【００２３】
ボトル１は可撓性であるので、片指を圧縮変形させて散水量を調節できると共に、小孔９は突起させているので、吐出される水は指向性をもって放尿箇所に向って確実に散水して浄化清掃できる。
【００２４】
例えば、図６に示すようなペットホルダーＸ内に入れ、併せてテッシュペーパー、汚物袋や消毒薬などを入れて置き、このホルダーＸの紐Ｙを肩掛け又は襷掛けして、ホルダーＸの上部の開口面より犬模型Ａを露呈させて使用すれば、愛犬の排泄物の除去、清掃に役立つのみならず、使用者の歩行運動にも役立つなどの補助効果を奏することもできる。
【００２５】
特に、愛犬家にとって犬の散歩という犬の健康を配慮する時に、清水を入れたボトル１の蓋体４に愛犬家であることを明示する犬模型Ａが設けられていて、愛犬家のファッションとして洋服のデザインとマッチさせて犬の散歩ができるので、愛犬の散歩に楽しみを生ずると共に、興趣に富んだ愛犬家自らの健康ウォーキングとしての相乗効果を期待できる。
【００２６】
さらにボトル１の蓋体４の犬模型Ａを、使用者が求める種類の形状のものを選んで置けば、飼い主の愛犬と同じ種類の犬模型Ａのついた洗浄ボトルとして使用できるという効果を奏する。
【符号の説明】
【００２７】
１    ボトル
２    開口部
３    雄型の螺合部
４    蓋体
５    雌型の螺合部
６    下蓋
６ａ  外周対応箇所
７    枢支部
８    上蓋
８ａ  内面
９    小孔
１０    開閉面
１１    係止爪
Ａ    犬模型
α    顔
β    尾
Ｘ    ホルダー
Ｙ    紐
【図１】
0003206977.tif 000003
【図２】
0003206977.tif 000004
【図３】
0003206977.tif 000005
【図４】
0003206977.tif 000006
【図５】
0003206977.tif 000007
【図６】
0003206977.tif 000008